(57)【特許請求の範囲】
【請求項１】
機械ベースと、前記機械ベース上に設置され箱体の上部を粘着テープで封止する上部機械コアと、前記機械ベース上に設置され前記箱体の下部を粘着テープで封止する下部機械コアと、前記上部機械コアの下方に位置し前記箱体を搬送する搬送装置とを備える粘着テープ封函機であって、
前記機械ベース上にスライドレールが設置され、
前記下部機械コアは、前記搬送装置の下方で前記機械ベースの前記スライドレール上にスライド可能に設置され、少なくとも二つの作業位置を有し、第一作業位置において、前記機械ベースの内側で前記搬送装置の下方に位置し、第二作業位置において、少なくとも一部分が前記機械ベースから滑り出し、前記機械ベースに対して前記第一作業位置へ向けてスライド可能であり、
前記機械ベースに対する前記下部機械コアのスライド方向は、前記箱体が前記搬送装置によって搬送される方向に垂直であり、かつ水平面に平行であり、
前記下部機械コアは、機械コア支持体、機械コア側板、粘着テープ設置装置、圧力ローラ装置、及びテープ切断装置を備え、
前記機械コア支持体は、前記スライドレールにスライド可能に接続され、
前記機械コア側板、前記粘着テープ設置装置、前記圧力ローラ装置、及び前記テープ切断装置は、前記機械コア支持体上に固定して設置され、
前記機械ベースは、前記搬送装置を昇降させるように制御する移動スイッチをさらに備え、
前記機械コア支持体は、前記下部機械コアが前記第二作業位置から前記第一作業位置へスライドするときに前記移動スイッチに接触して前記搬送装置を前記機械ベース上へ降下させ、前記下部機械コアが前記第一作業位置から離れて前記第二作業位置へ向けてスライドするときに前記移動スイッチから離れて距離をあけるように前記搬送装置を上昇させることを特徴とする粘着テープ封函機。
【請求項２】
前記粘着テープ設置装置、前記圧力ローラ装置、及び前記テープ切断装置は、前記下部機械コアが前記第一作業位置にあるときに前記搬送装置の基本的に真下に位置する、請求項1に記載の粘着テープ封函機。
【請求項３】
前記下部機械コアは、ロック機構を介して前記機械ベースにロックされ、
前記ロック機構は、前記機械コア支持体上に回転可能に設置されたストッパーと、前記機械コア支持体上に設置され前記ストッパーと連動して前記ストッパーの回転を制御する把手と、前記機械ベース上に設置され前記ストッパーと合致する凹溝とを備え、前記ストッパーが前記凹溝に嵌まったロック状態と、前記ストッパーが前記凹溝から離脱するロック解除状態とを有する、請求項1に記載の粘着テープ封函機。
【請求項４】
前記ロック機構は、前記下部機械コアが前記第一作業位置にあるときに前記下部機械コアを前記機械ベースにロックする、請求項3に記載の粘着テープ封函機。
【請求項５】
前記機械ベース上に固定して設置された第一線状スライドレールと、前記下部機械コアの前記機械コア支持体上に設置された第二線状スライドレールとをさらに備え、
前記第一線状スライドレールと前記第二線状スライドレールは、前記下部機械コアが前記第一作業位置にあるときに互いに当接し、前記箱体を搬送するレールを共同で構成する、請求項1に記載の粘着テープ封函機。
【発明の詳細な説明】
【技術分野】
【０００１】
本発明は、一種の封函装置、特に粘着テープ封函機に関する。
【背景技術】
【０００２】
バッチ生産で生産される製品は、通常、各作業工程にそれぞれ自動処理用の機械設備を備える組み立てライン作業を採用する。また、製品を包装して輸送を容易にするため、組み立てラインの最後端には、一般に、封函装置が設置される。
【０００３】
既存の封函装置は、通常、粘着テープで箱体の上部を封止する上部機械コアと、箱体の下部を封止する下部機械コアと、箱体を搬送する搬送装置とを有し、下部機械コアは、一般に、機械ベース上で搬送装置の下方に固定して設置される。下部機械コアの粘着テープは、下部機械コア内の粘着テープを使い切ったときに交換する必要がある。下部機械コアの粘着テープの交換は、以下のステップを経て行う。安全ドアを開き；二つの搬送ベルトを分離し；機械ヘッドを上昇させ；下部機械コアを機械ベースから取り外し；粘着テープを交換し；下部機械コアを再び取り付け；下部機械コアを適した高さに調整し；二つの搬送ベルト間の距離を調整し；安全ドアを閉じる。これらのステップを終了するには、職業訓練を受けた熟練の操作者の場合でも、通常は数分を要し、明らかに欠点を認めることができる。すなわち、操作ステップが多すぎ、粘着テープの交換が不便であり、作業効率が低い。一般に、一つの下部機械コアの交換は、数百個の箱体が組み立てラインで待機することにつながる。
【発明の概要】
【発明が解決しようとする課題】
【０００４】
本発明は、上述の問題に対して提案されるものであり、下部機械コアの粘着テープを迅速に交換するための粘着テープ封函機を提供することを目的とする。
【課題を解決するための手段】
【０００５】
上述の技術的な問題を解決するために、本発明は、機械ベースと、機械ベース上に設置され箱体の上部を粘着テープで封止する上部機械コアと、機械ベース上に設置され箱体の下部を粘着テープで封止する下部機械コアと、上部機械コアの下方に位置し箱体を搬送する搬送装置とを備える封函機であって、機械ベース上にスライドレールが設置され、下部機械コアは、搬送装置の下方で機械ベースのスライドレール上にスライド可能に設置され、少なくとも二つの作業位置を有し、第一作業位置において、機械ベースの内側で搬送装置の下方に位置し、第二作業位置において、少なくとも一部分が機械ベースから滑り出し、機械ベースに対して第一作業位置へ向けてスライド可能である粘着テープ封函機を提供する。下部機械コアを搬送装置の下方へスライドさせることによって、下部機械コアを機械ベースから引き出すことができ、この場合、下部機械コアの粘着テープの迅速な交換及び設置を実現することができる。
【０００６】
好ましくは、機械ベースに対する下部機械コアのスライド方向は、箱体が搬送装置によって搬送される方向に垂直である。
【０００７】
好ましくは、下部機械コアは、機械コア支持体、機械コア側板、粘着テープ設置装置、圧力ローラ装置、及びテープ切断装置を備え、機械コア支持体は、スライドレールにスライド可能に接続され、機械コア側板、粘着テープ設置装置、圧力ローラ装置、及びテープ切断装置は、機械コア支持体上に固定して設置される。下部機械コアが第一作業位置にあるとき、粘着テープ設置装置、圧力ローラ装置、及びテープ切断装置は、箱体の下部を粘着テープで封止するのに便利なように、基本的に搬送装置の真下に位置する。
【０００８】
さらに好ましくは、下部機械コアは、ロック機構を介して機械ベースにロックされ、ロック機構は、機械コア支持体上に回転可能に設置されたストッパーと、機械コア支持体上に設置され、ストッパーと連動してストッパーの回転を制御する把手と、機械ベース上に設置され、ストッパーと合致する凹溝とを備え、ロック機構は、ストッパーが凹溝に嵌まったロック状態と、ストッパーが凹溝から離脱するロック解除状態とを有する。粘着テープを交換する必要があるとき、ロック機構は、ロック解除状態にされ、下部機械コアは、粘着テープを交換するためにスライドさせられて機械ベースから出される。接着テープの交換後、ロック機構は、下部機械コアを再びスライドさせて機械ベース内へ入れるようにロック解除状態で維持される。
【０００９】
さらに、下部機械コアが第一作業位置にあるとき、下部機械コアが封函機の作業中に滑り出るのを防止して、粘着テープの貼付漏れ又は偏った貼付を実際上回避するため、ロック機構は、下部機械コアを機械ベースにロックするのが好ましい。
【００１０】
さらに好ましくは、粘着テープ封函機は、機械ベース上に固定して設置された第一線状スライドレールと、下部機械コアの機械コア支持体上に設置された第二線状スライドレールとをさらに備え、第一線状スライドレールと第二線状スライドレールは、下部機械コアが第一作業位置にあるときに互いに当接し、箱体を搬送するレールを共同で構成する。
【００１１】
さらに好ましくは、機械ベースは、搬送装置を昇降させるように制御する移動スイッチをさらに備え、機械コア支持体は、下部機械コアが第二作業位置から第一作業位置へスライドするときに、移動スイッチに接触して、搬送装置を機械ベース上へ下降させ、下部機械コアが第一作業位置から離れて第二作業位置へ向けてスライドするときに、移動スイッチから離れて、距離を一段あけるように搬送装置を上昇させる。また、移動スイッチは、下部機械コア上に設置することができ、下部機械コアが第二作業位置から第一作業位置へスライドするときに機械ベースに接触し、下部機械コアが第一作業位置から離れて第二作業位置の方へスライドするときに機械ベースから離れることも考えられる。
【００１２】
前述の構造を用いる本発明は、以下の利点を有する。
【００１３】
1.箱体の下部を封止するように下部機械コアを機械ベース上にスライド可能に設置することによって、粘着テープの交換が必要なとき、下部機械コアを引き出して粘着テープを交換することができる。そのため、粘着テープの交換に便利であり、作業効率が高く、高速の大規模な作業の生産ラインにより適しており、従来は3分から5分を要していた機械コアの交換に要する時間を10秒未満に短縮することができる。これにより、組み立てラインの停止時間を大幅に短縮し、一般に停止を必要としなくなる。
【００１４】
2.下部機械コアが第一作業位置にあるとき、下部機械コアは、下部機械コアが封函機の作業中に滑り出るのを防止するために、ロック機構を介して機械ベースにロックされる。これは、粘着テープの貼付漏れ又は偏った貼付を防止するのに有効であり、粘着テープ封函機は、安定した作業性能を有する。
【００１５】
3.下部機械コアを引き出すとき、機械コア支持体が移動スイッチから離れることで、搬送装置が上昇する。これにより、下部機械コアを円滑に引き出すことができ、下部機械コアが引っ掛かって引き出すことができなくなる状況を実際上回避する。
【００１６】
4.電気機械要素と空気圧要素をともに組み合わせて互いに適合させるように、移動スイッチが使用される。そのため、下部機械コアが引き出されたときに、搬送ベルトが自動的に停止し、搬送装置が自動的に上昇する。これにより、下部機械コア装置を引き出すことができる。また、電気機械が動作を停止し、しばらくの間、開始スイッチが押されても、電気機械を再開することができなくなる。下部機械コアが再び第一作業位置に戻った後、電気機械を再開することで、安全性能がより高くなる。
【図面の簡単な説明】
【００１７】
【図１】本発明の粘着テープ封函機のロック機構がロック状態にある構造概略図。
【図２】本発明の粘着テープ封函機のロック機構がロック解除状態にある構造概略図。
【発明を実施するための形態】
【００１８】
以下、本発明の利点及び特徴を当技術分野の当業者には容易に理解することができ、したがって本発明の保護範囲を画定することが明瞭になるように、本発明の好ましい実施形態について、添付の図面と組み合わせて詳細に説明する。
【００１９】
［実施形態］
図1及び図2を参照すると、粘着テープ封函機は、機械ベース1と、機械ベース1の上部に設置され箱体の上部を封止する上部機械コア(図示せず)と、機械ベース1の下部に設置され箱体の下部を封止する下部機械コア3と、箱体を搬送する搬送装置4とを備え、上部機械コア及び下部機械コア3内に粘着テープが備えられ、搬送装置4は、上部機械コアの下方に位置する。
【００２０】
上部機械コアは、本発明の要点ではなく、上部機械コアの構造は、当技術分野の当業者にはすでに周知であるため、上部機械コアについて、本明細書では論じない。
【００２１】
機械ベース1上にスライドレールが設置され、下部機械コア3は、搬送装置4の下方で機械ベース1のスライドレール上にスライド可能に設置される。スライドレールは、機械装置の各部に常用される部分であるため、図示しない。下部機械コア3は、少なくとも二つの作業位置を有する。下部機械コア3は、図1に示すように、第一作業位置において、機械ベース1の内側で搬送装置4の下方に位置し、図2に示すように、第二作業位置において、下部機械コア3の少なくとも一部分が機械ベース1から滑り出すことで、機械ベース1に対して第一作業位置へ向けてスライドすることを可能にする。
【００２２】
図1及び図2に示す好ましい実施形態では、機械ベース1に対する下部機械コア3のスライド方向は、箱体が搬送装置4によって搬送される方向に垂直であり、下部機械コア3のスライド方向は、基本的に水平面に平行である。
【００２３】
下部機械コア3は、ロック機構31を介して機械ベース1にロックされ、ロック機構31がロック解除状態にあるときに機械ベース1に対してスライドすることができ、ロック機構31がロック状態にあるときに機械ベース1に対して固定される。
【００２４】
下部機械コア3は、機械コア支持体32、機械コア側板、粘着テープ設置装置、圧力ローラ装置、及びテープ切断装置を備える。機械コア支持体32は、スライドレールに接続され、スライドレールに沿ってスライドすることができ、機械コア側板、粘着テープ設置装置、圧力ローラ装置、及びテープ切断装置は、機械コア支持体32上に固定して設置される。下部機械コア3が第一作業位置にあるとき、粘着テープ設置装置、圧力ローラ装置、及びテープ切断装置は、搬送装置4の実質上真下に位置する。機械コア側板、粘着テープ設置装置、圧力ローラ装置、及びテープ切断装置は、従来技術であるため、詳細に図示しない。
【００２５】
ロック機構31は、機械コア支持体32上に回転可能に設置されたストッパー311と、機械コア支持体32上に設置され、ストッパー311と連動してストッパー311の回転又は動きを制御する把手312と、機械ベース1上に設置され、ストッパー311と合致する凹溝313とを備える。ストッパー311を凹溝313から離脱させた状態を維持するように把手312を回転させることによって、ロック機構31がロック解除され、把手312を介してストッパー311を凹溝313内へ回転させ又は動かして凹溝313内に嵌めることによって、ロック機構31がロック状態になる。
【００２６】
下部機械コア3が第一作業位置にあるとき、ロック機構31は、下部機械コア3を機械ベース1にロックすることが好ましい。図1及び図2に示す粘着テープ封函機は、機械ベース1上に固定して設置された第一線状スライドレール51と、下部機械コア3の機械コア支持体32上に設置された第二線状スライドレール52とをさらに備え、第一線状スライドレール51と第二線状スライドレール52は、図1に示すように、下部機械コア3が第一作業位置にあるときに互いに当接し、箱体を搬送するレールを共同で構成する。第二線状スライドレール52は、図2に示すように、下部機械コア3が機械ベース1から滑り出すと、スライドして第一線状スライドレール51から離れる。
【００２７】
機械ベース1は、搬送装置4を昇降させるように制御する移動スイッチ6をさらに備える。移動スイッチ6は、機械ベース1のうち、下部機械コア3の機械コア支持体32に対応する部分に設置され、移動スイッチ6は、搬送装置を駆動する電気機械を制御するとともに空気シリンダを介して搬送装置4を制御する。下部機械コア3が第一作業位置から第二作業位置へスライドするとき、機械コア支持体32は、移動スイッチ6から離れ、搬送装置を駆動する電気機械は、動作を停止し、搬送装置4は、機械ベースから距離をあけて上昇する。下部機械コア3が再び第一作業位置へスライドするとき、機械コア支持体32は、移動スイッチ6に接触し、搬送装置4は、機械ベース1上へ下降する。下部機械コアが第一作業位置から離れて機械ベース1の外側の方へスライドするときに搬送装置4が上昇するため、下部機械コア3は、支障なくスライドすることができ、円滑に引き出して粘着テープを交換することができ、下部機械コア3が搬送装置4に引っ掛かって引き出すことができなくなる状況を実際上回避する。さらに、移動スイッチ6は、電気要素と機械要素をともに組み合わせるように使用され、搬送装置の搬送ベルト及び電気機械は、下部機械コア3が引き出されたとき、動作を自動的に停止し、安全性能がより高くなる。
【００２８】
上述の実施形態は、本発明の技術上の概念及び特徴について説明することのみを目的とし、好ましい実施形態は、当業者であれば本発明の内容を理解してそれによって本発明を実施することを可能にするものであり、したがって本発明の範囲を限定すると結論付けるべきではない。本発明の精神によるあらゆる同等の変形例又は修正例は、本発明の範囲によって包含されるべきである。
【符号の説明】
【００２９】
1  機械ベース、3  下部機械コア、31  ロック機構、311  ストッパー、312  把手、313  凹溝、32  機械コア支持体、4  搬送装置、51  第一線状スライドレール、52  第二線状スライドレール、6  移動スイッチ
【図１】
0006340065.tif 000002
【図２】
0006340065.tif 000003